(57)【要約】【課題】完全に取り外すことなく、１人の作業員で架線電線と分岐電線の接続箇所を露出させることができるコネクタカバーを提供すること。【解決手段】配電線と引下線の接続箇所を収容する空間を内部に形成されているカバー本体部１１が、収容する配電線に沿う方向に割面１１ａおよびヒンジ部１４を備えて、ヒンジ部により内部空間を開放するように割面間を離隔させる方向に回動させて配電線を跨ぐように設置し配電線と引下線の接続箇所を内部に収容するコネクタカバーであって、カバー本体部は、内部空間内から外部に露出する直前の配電線を保持して当該配電線への取付状態を維持する引出口１２、１３と、ヒンジ部側から割面に向かって延在して引出口１２、１３の間で当該カバー本体部を該ヒンジ部により別個に回動可能な第１、第２本体部２２、２５に分割するスリット２１と、を備える。【選択図】図７
2012253872.tif 000002
【特許請求の範囲】
【請求項１】
架線電線と分岐電線の接続箇所を収容する空間を内部に形成されているカバー本体部が、収容する前記架線電線に沿う方向に割部およびヒンジ部を備えて、前記ヒンジ部により前記内部空間を開放するように前記割部間を離隔させる方向に回動させて前記架線電線を跨ぐように設置し前記架線電線と前記分岐電線の接続箇所を内部に収容するコネクタカバーであって、
前記カバー本体部は、前記内部空間内から外部に露出する直前の前記架線電線を保持して当該架線電線への取付状態を維持する第１、第２保持部と、前記ヒンジ部側から前記割部に向かって延在して前記第１、第２保持部の間で当該カバー本体部を該ヒンジ部により別個に回動可能な第１、第２本体部に分割するスリットと、を備えることを特徴とするコネクタカバー。
【請求項２】
前記カバー本体部は、前記スリットとして、前記ヒンジ部の両側に第１、第２スリットが形成されていることを特徴とする請求項１に記載のコネクタカバー。
【請求項３】
前記カバー本体部は、前記スリットを形成する前記第１本体部側端辺と前記第２本体部側端辺の双方に密接して当該スリットを介する内外の連通を制限する連通制限部材が設けられていることを特徴とする請求項１または２に記載のコネクタカバー。
【請求項４】
前記カバー本体部は、前記スリットを形成する前記第１本体部側端辺と前記第２本体部側端辺に、互いに係合して前記内部空間の閉止状態を維持するロック構造が形成されていることを特徴とする請求項１から３のいずれか１項に記載のコネクタカバー。
【請求項５】
前記第１、第２本体部の前記割部間が接近する方向への回動を制限して前記内部空間の開放状態を維持する維持部材を備えることを特徴とする請求項１から４のいずれか１項に記載のコネクタカバー。
【発明の詳細な説明】
【技術分野】
【０００１】
本発明は、コネクタカバーに関し、例えば、電柱に架線されている配電線（架線電線）から引下線（分岐電線）を分岐させる接続箇所を保護するために取り付けるものに関する。
【背景技術】
【０００２】
架線電線と分岐電線の接続箇所としては、例えば、図１０に示すように、電柱に架線されている配電線Ｄから引下線ｄを分岐させて変圧器などに接続する場合などに、その配電線Ｄの絶縁被覆を剥ぎ取って引下線ｄをコネクタＣにより導通接続することが行われており、そのコネクタＣ周りの分岐箇所には絶縁性を確保するためにコネクタカバー（絶縁保護カバー）３００が取り付けられる（例えば、特許文献１参照）。
【０００３】
コネクタカバー３００は、コネクタＣなどの収容空間を内部に形成する一対のカバー本体部３０１が上部のヒンジ部３０２により開閉可能に連結されている状態に一体成形されて作製されている。
【０００４】
このコネクタカバー３００は、カバー本体部３０１を開いた状態にして、絶縁性を確保されている遠隔把持作業道具（図３を参照）で掴んで配電線Ｄを跨ぐようにしてコネクタＣなどの接続箇所に被せた状態にした後に、その状態を保持しつつ両端側の止め具３０３を別個の遠隔把持作業道具で摘んで係合させ閉じることにより、そのコネクタＣなどの接続箇所を内部に収容する状態にして取り付けるように作製されている。
【０００５】
また、このコネクタカバー３００は、引下線ｄを交換する際などには、遠隔把持作業道具で落下しないように掴んだ状態を保持しつつ、カバー本体部３０１の間に、絶縁性を確保されている別の遠隔差込作業道具（図４および図５を参照）を差し込んで止め具３０３の係合を解除した後に、先に掴んだ状態で保持する遠隔把持作業道具により回収し、この後に、コネクタＣの付け替え作業などを行うようになっている。
【先行技術文献】
【特許文献】
【０００６】
【特許文献１】特開２００８−１７８１８１号公報
【発明の概要】
【発明が解決しようとする課題】
【０００７】
しかしながら、このようなコネクタカバー３００にあっては、配電線Ｄへの取付時と回収時のいずれでも、２人の作業員が遠隔把持作業道具や遠隔差込作業道具を駆使して作業する必要がある。
【０００８】
また、引下線ｄの交換作業時には、コネクタＣなどの導電部分（充電部分）が露出することを制限する状態からコネクタカバー３００全体を回収して行う必要があり、その作業中には充電部分を完全に露出させている状態にしてしまう。
【０００９】
また、一旦回収したコネクタカバー３００は、保管する必要があり、例えば、道具袋内に入れると、別の道具を取り出し難くしてしまう。
【００１０】
そこで、本発明は、完全に取り外すことなく、１人の作業員で架線電線と分岐電線の接続箇所を露出させることができるコネクタカバーを提供することを目的としている。
【課題を解決するための手段】
【００１１】
上記課題を解決するコネクタカバーの発明の一態様は、架線電線と分岐電線の接続箇所を収容する空間を内部に形成されているカバー本体部が、収容する前記架線電線に沿う方向に割部およびヒンジ部を備えて、前記ヒンジ部により前記内部空間を開放するように前記割部間を離隔させる方向に回動させて前記架線電線を跨ぐように設置し前記架線電線と前記分岐電線の接続箇所を内部に収容するコネクタカバーであって、前記カバー本体部は、前記内部空間内から外部に露出する直前の前記架線電線を保持して当該架線電線への取付状態を維持する第１、第２保持部と、前記ヒンジ部側から前記割部に向かって延在して前記第１、第２保持部の間で当該カバー本体部を該ヒンジ部により別個に回動可能な第１、第２本体部に分割するスリットと、を備えることを特徴とするものである。
【００１２】
この発明の態様では、架線電線に取り付けられた状態でも、スリットにより分割されている第１、第２本体部の一方を、その第１保持部または第２保持部の架線電線への保持を解除するだけで、ヒンジ部により割部間を離隔させる方向（スリットを拡大する方向）に回動させて架線電線と分岐電線の接続箇所を収容する内部空間を開放することができ、保持を解除されていない第１、第２本体部の他方は架線電線を保持して取付状態を維持することができる。
【発明の効果】
【００１３】
このように本発明の一態様によれば、第１、第２保持部の一方で架線電線に取り付けた状態を維持しつつ、スリットにより分割されている第１、第２本体部の一方の内部空間を開放して架線電線と分岐電線の接続箇所を露出させることができる。したがって、落下しないように掴んでおく必要はなく、架線電線と分岐電線の接続箇所を１人の作業員で交換作業可能にする程度に露出させることができ、また、回収するために邪魔になってしまうこともなく、快適かつ容易に作業することができる。
【図面の簡単な説明】
【００１４】
【図１】本発明に係るコネクタカバーの一実施形態の概略全体構成を示す図であり、（ａ）はその平面図、（ｂ）はその側面図である。
【図２】その要部構成を示す図であり、（ａ）はそのスリットと平行な縦断面図、（ｂ）はそのスリットと直交する縦断面図、（ｃ）はそのロック構造を示す縦断面図である。
【図３】その取付作業時に利用する遠隔把持作業道具を示す平面図である。
【図４】その取付作業時に利用する遠隔差込作業道具にする共用操作棒を示す平面図である。
【図５】その共用操作棒を開閉作業時に利用する遠隔差込作業道具にする先端工具を示す平面図である。
【図６】その作業時の一態様を示す図であり、（ａ）はその平面図、（ｂ）はその側面図である。
【図７】その作業時の一態様を示す図であり、（ａ）はその平面図、（ｂ）はその側面図である。
【図８】その第１の他の態様を示す図であり、そのスリットと直交する縦断面図である。
【図９】その第２の他の態様を示す図であり、その電線の延在方向から見た平面図である。
【図１０】そのコネクタカバーの機能を説明する概念平面図である。
【発明を実施するための形態】
【００１５】
本発明の実施形態の一態様としては、架線電線と分岐電線の接続箇所を収容する空間を内部に形成されているカバー本体部が、収容する前記架線電線に沿う方向に割部およびヒンジ部を備えて、前記ヒンジ部により前記内部空間を開放するように前記割部間を離隔させる方向に回動させて前記架線電線を跨ぐように設置し前記架線電線と前記分岐電線の接続箇所を内部に収容するコネクタカバーであって、前記カバー本体部は、前記内部空間内から外部に露出する直前の前記架線電線を保持して当該架線電線への取付状態を維持する第１、第２保持部と、前記ヒンジ部側から前記割部に向かって延在して前記第１、第２保持部の間で当該カバー本体部を該ヒンジ部により別個に回動可能な第１、第２本体部に分割するスリットと、を備えるのに加えて、次の構成を備えてもよい。
【００１６】
第１の他の態様としては、前記カバー本体部は、前記スリットとして、前記ヒンジ部の両側に第１、第２スリットが形成されていてもよい。
【００１７】
この態様では、カバー本体部の両側にスリットを形成して第１、第２本体部に分割し、その第１、第２本体部の一方のヒンジ部の両側を割部間の離隔方向に回動させて架線電線と分岐電線の接続箇所の収容空間を開放することができ、作業内容に応じてその接続箇所を十分に露出させ、また、十分な作業空間を確保することができる。
【００１８】
第２の他の態様としては、前記カバー本体部は、前記スリットを形成する前記第１本体部側端辺と前記第２本体部側端辺の双方に密接して当該スリットを介する内外の連通を制限する連通制限部材が設けられていてもよい。
【００１９】
この態様では、第１、第２本体部のスリット側の端辺間に介在させる連通制限部材により、そのスリットを介する内外間の自由な連通を制限することができる。ここで、連通制限部材としては、第１、第２本体部のスリット側の端辺間に固設するシート状部材でもよく、このシート状部材は、蛇腹状に折り畳んで第１、第２本体部の端辺間に連設することによりコンパクトに収納可能にしてもよく、また、単なるシート状のままにして内部空間側に収納させるようにしてもよい。また、第１、第２本体部のスリット側の端辺間に密接する所謂、パッキンでもよい。
【００２０】
第３の他の態様としては、前記カバー本体部は、前記スリットを形成する前記第１本体部側端辺と前記第２本体部側端辺に、互いに係合して前記内部空間の閉止状態を維持するロック構造が形成されていてもよい。
【００２１】
この態様では、スリット間を閉じて第１、第２本体部が連続する状態（架線電線と分岐電線の接続箇所の収容空間を形成する状態）にする際に、第１、第２本体部のスリット側の端辺同士をロック構造により係合させることができ、カバー本体部の内部空間の閉止状態を信頼性高く維持することができる。
【００２２】
第４の他の態様としては、前記第１、第２本体部の前記割部間が接近する方向への回動を制限して前記内部空間の開放状態を維持する維持部材を備えていてもよい。
【００２３】
この態様では、第１、第２本体部の一方をヒンジ部により割部間を離隔させる方向（スリットを拡大する方向）に回動させて、架線電線と分岐電線の接続箇所を収容する内部空間を開放する際に、割部間の接近方向に回動して戻ることを維持部材により制限してカバー本体部の内部空間の開放状態を維持することができる。この維持部材としては、割部間の離隔方向への回動時に接近した外面同士の間隔を保持するようにカバー本体部の外面に一体形成してもよく、また、割部間を離隔させている状態のカバー本体部（第１、第２本体部の一方）とは別個に架線電線との間に差し込んで戻る方向に回動することを制限する形状の別部材としてもよい。
【００２４】
以下、図面を参照して、本発明の実施形態について詳細に説明する。図１〜図７は本発明に係るコネクタカバーの一実施形態を示す図である。
【００２５】
図１において、コネクタカバー１０は、図１０に示すコネクタカバー３００と同様に、電柱などに架線されている配電線（架線電線）Ｄに引下線（分岐電線）ｄをコネクタＣにより導通接続させている分岐接続箇所を内部空間内に収容して（覆って）、露出して充電状態にある導電部分（充電部）の絶縁性を確保するものである。
【００２６】
このコネクタカバー１０は、コネクタＣと共に配電線Ｄと引下線ｄの接続箇所の全体を収容する空間を内部に形成してその配電線Ｄの延在方向と平行な割面（割部）１１ａで２つ割可能な一対のカバー本体部１１と、このカバー本体部１１の配電線Ｄの延在方向の両端部に形成されてその配電線Ｄを引き出す引出口１２、１３（第１、第２保持部）と、カバー本体部１１の引出口１２、１３間の一辺側（図中、上側）に延在して割面１１ａ間を連結する状態にするとともに反対側（図中、下側）の割面１１ａ間を紙面に対する表裏方向に接離させて収容空間を開閉可能にするヒンジ部１４と、このヒンジ部１４の反対側の割面１１ａ間が対面接触している状態を維持するように両端側に配置されて互いに係合する係合対面部１７と、を備えるように絶縁性樹脂材料の一体成形により作製されている。
【００２７】
これにより、コネクタカバー１０は、係合対面部１７同士の係合を解除して割面１１ａの接離方向にヒンジ部１４を中心にカバー本体部１１同士をそれぞれ回動させることによりコネクタＣなどの収容空間を開閉することができ、その係合対面部１７同士を互いに係合させることによりコネクタＣなどの収容空間を閉止する状態に維持することができる。
【００２８】
カバー本体部１１の引出口１２は、内部を開放して収容した配電線Ｄの一端側を引出可能に開口しているとともに、その外被に密接するように弾性変形して外部に露出する手前の配電線Ｄを保持することにより取付状態を維持する複数片のクチバシ形状１２ａが形成されている。また、引出口１３は、同様に、その配電線Ｄの他端側を引き出すとともにコネクタＣにより導通接続させた引下線ｄを一緒に引出可能に開口しているとともに、それぞれの外被に密接するように弾性変形する複数片のクチバシ形状１３ａが形成されている。
【００２９】
このカバー本体部１１は、ヒンジ部１４の反対側が外方に延長されて互いに対面接触する延長片１５が形成されており、その延長片１５の中央付近には、より外方に把持可能に延長されている把持部１６が形成されている。
【００３０】
係合対面部１７は、互いに対面する一面側に断面矢印形状に形成されている突起部１８が形成されており、他面側にはその突起部１８の先端部１８ａを差込可能に弾性変形した後にその先端部１８ａの通過後に弾性復帰するように十字形状に開口する差込部１９が形成されている。
【００３１】
これにより、コネクタカバー１０は、例えば、図３に示すヤットコ１００を用いて、電気的に安全な遠隔位置から作業する間接活線工法により、配電線Ｄの引下線ｄとのコネクタＣによる分岐箇所に、カバー本体部１１を取り付けて保護する作業を行うことができる。
【００３２】
具体的には、カバー本体部１１は、ヒンジ部１４により拡開する状態のまま把持部１６を把持して配電線Ｄの引下線ｄとのコネクタＣによる分岐箇所を覆うように（跨ぐように）被せることにより、その分岐箇所を内部に収容する状態にすることができる。このカバー本体部１１は、配電線Ｄと引下線ｄがそれぞれ引出口１２、１３のクチバシ形状１２ａ、１３ａ内に位置するようにしつつ、別個のヤットコ１００を用いて係合対面部１７同士を摘まんで突起部１８の先端部１８ａを差込部１９内に差し込んで係合させることにより閉じることができる。この後に、カバー本体部１１は、引出口１２、１３のクチバシ形状１２ａ、１３ａに絶縁テープなどを巻くことにより絶縁性を確保することができ、互いに対面接触する延長片１５の幅により沿面距離（電気的な絶縁性確保する離隔距離）を確保することができる。
【００３３】
ここで、ヤットコ１００は、図３に示すように、対象物を掴む把持部１１０と、作業者が把持して支持する支持棒１３１と、伝達棒１３２を介して操作力を伝達することにより把持部１１０を操作するハンドル１２２と、を備えている。このヤットコ１００は、支持棒１３１に固設されている把持部１１０の不動部材１１１に対して、ハンドル１２２を操作することにより伝達棒１３２に連結されている可動部材１１２を回動軸１１３を中心に回動させることにより、把持部１１０の不動部材１１１と可動部材１１２の先端部１１１ａ、１１２ａの間で、コネクタカバー１０の把持部１６や係合対面部１７などの対象物等を摘むようにして掴むことができる。なお、このヤットコ１００には、掴む側からの水分を滴下させる傘カバー１３４と、掴む側からの絶縁性を考慮して安全に作業を行い得る限界位置を示す傘カバー１３５とを備えて、概略全体をプラスチックやゴム材料などの絶縁材料で作製されることにより絶縁性が確保されている。
【００３４】
そして、カバー本体部１１は、配電線Ｄのみを保持する引出口１２側の係合対面部１７の内側隣接位置にスリット（第１、第２スリット）２１が形成されており、スリット２１は、ヒンジ部１４の両側の隣接位置から延長片１５の割面１１ａの外側端辺まで延在してカバー本体部１１を引出口１２側の第１本体部２２と引出口１３側の第２本体部２５と分割している。
【００３５】
また、カバー本体部１１は、図２に示すように、スリット２１を形成する第１本体部２２側の端辺２２ａから内部空間側に位置する断面Ｌ字部２３がそのスリット２１の形成範囲に延在する状態で一体形成されている。断面Ｌ字部２３は、第１本体部２２側の端辺２２ａから連続する連結部２３ａと、この連結部２３ａから連続して第２本体部２５に一定間隔で離隔する位置で対面する対面部２３ｂと、を備えている。
【００３６】
このカバー本体部１１は、折り畳んだ状態にされている薄い樹脂製シート（連通制限部材）２６が、第１本体部２２の断面Ｌ字部２３の対面部２３ｂ外面と、スリット２１を形成する第２本体部２５の端辺２５ａ内面との双方に接着固定されている。
【００３７】
また、このカバー本体部１１は、断面Ｌ字部２３の第１本体部２２側の連結部２３ａに開口するロック穴２３ｃが延長片１５側に形成される一方、第２本体部２５の端辺２５ａの対応する位置には、断面Ｌ字部２３よりも小さな断面Ｌ形状に形成されてそのロック穴２３ｃに進入・離脱するロック爪２７が形成されている。
【００３８】
これにより、コネクタカバー１０は、例えば、図４に示す共用操作棒２００の先端に図５に示すフック２１０を取り付けて、電気的に安全な遠隔位置から作業する間接活線工法により、例えば、スリット２１の片側に位置する第１本体部２２側を引出口１２により配電線Ｄに取り付けた状態を維持しつつ、反対側の第２本体部２５を回動させてコネクタＣなどを収容する空間を開閉し引下線ｄなどの交換作業を行うことができる。
【００３９】
具体的には、カバー本体部１１は、第２本体部２５の割面１１ａの間にフック２１０の鉤の手部２１１の先端を押し込んで捩じることにより、その割面１１ａ間を離隔させて係合対面部１７の突起部１８の先端部１８ａを差込部１９から離脱させて係合係止状態を解除することができる。また、同時に、カバー本体部１１は、第１、第２本体部２２、２５間のスリット２１の閉止状態（端辺２２ａ、２５ａの接近状態）を維持するロック穴２３ｃとロック爪２７の係合ロックを双方共に弾性変形させて解除することができる。
【００４０】
このため、カバー本体部１１は、図６に示すように、第１本体部２２の引出口１２で配電線Ｄへの取付状態を確保している状態のまま、第２本体部２５の片側をヒンジ部１４を中心にして跳ね上げるように回動させることにより、折り畳んだ状態の樹脂製シート２６を蛇腹状に広げつつ内部のコネクタＣなどの一面側を露出させることができる。また、このコネクタカバー１０は、図７に示すように、第２本体部２５の両面側を跳ね上げるように回動させることにより、折り畳んだ状態の樹脂製シート２６を蛇腹状に広げつつ内部のコネクタＣなどを完全に露出させて十分な作業空間を確保することができる。
【００４１】
よって、コネクタカバー１０は、配電線Ｄに接続した引下線ｄの交換作業など行う際には、フック２１０を先端に取り付けた共用操作棒２００を持つだけで、カバー本体部１１の第１本体部２２側により取り付けた状態を維持しつつ第２本体部２５側を開閉することができ、続けて、コネクタＣを着脱する作業などを容易に行うことができる。
【００４２】
この後には、コネクタカバー１０は、ヤットコ１００に持ち替えて、割面１１ａ同士を接近させる方向に第２本体部２５を回動させて、蛇腹状に広げた状態の樹脂製シート２６を再度第１本体部２２の端辺２２ａ側の対面部２３ｂと第２本体部２５の端辺２５ａとの間にコンパクトに折り畳んだ状態にしつつ、割面１１ａ同士を接近させて、第２本体部２５側の係合対面部１７同士を摘まむようにするだけで再度コネクタＣなどを収容する空間を閉じることができる。この状態では、コネクタカバー１０は、スリット２１を介して自由に外気が連通したり、雨水などが浸入することを樹脂製シート２６により制限することができる。このとき、第１、第２本体部２２、２５の間のスリット２１では、第２本体部２５の回動に伴ってその端辺２２ａ、２５ａ間が接近するのと同時に、その第１本体部２２側のロック穴２３ｃに第２本体部２５側のロック爪２７が進入することにより、再度係合ロックさせて内部空間を高品質な閉塞空間となるように閉止する状態を信頼性高く維持することができる。
【００４３】
ここで、フック２１０は、図５に示すように、鉤の手部２１１および横棒部２１２を備えており、この鉤の手部２１１および横棒部２１２の基端部側には、図４に示す絶縁操作棒２００の先端部を差込可能に円筒形状に形成されているジョイント部２１５が連設されている。このフック２１０のジョイント部２１５は、円筒形状の対面する周面が概略Ｔ字形状に切り欠かれて開口することにより、後端面（絶縁操作棒２００）側から先端側に向う差込切欠部２１６と、この差込切欠部２１６の直交方向の両側に連続するように屈曲する係合切欠部２１７と、が一対形成されている。
【００４４】
これに対して、絶縁操作棒２００は、円柱形状の先端部の互いに反対側となる側面に突起形状に一対立設されることによりフック２１０のジョイント部２１５の２箇所の切欠部２１６、２１７内に挿し込んで係合させることのできるピン２０１と、先端部の先端面に配設されて不図示の内蔵スプリングにより突出方向に付勢されている突起２０２と、先端部の側面に刻設されている不図示のネジ形状に螺合して進退可能なグリップ２０３と、滑り難い材質の取替え可能な滑り止が施されて作業員の把持する基端部側の把持部２０４と、を備えている。これにより、フック２１０は、ジョイント部２１５内に絶縁操作棒２００の先端部を差し込んで突起２０２を内蔵スプリングの弾性力に抗して沈ませつつ、ピン２０１の双方を切欠部２１６、２１７内に進入させて回転させた後に、その進入させる力を解放すると、突起２０２がスプリングの弾性力により突出してジョイント部２１５を押し出すことにより、その係合切欠部２１７から屈曲する係合溝２１７ａ内にピン２０１を離脱不能に係合させることができる。さらに、この絶縁操作棒２００は、グリップ２０３を回転させてジョイント部２１５側に寄せることによりピン２０１が係合溝２１７ａ内から離脱して回転しないようにロックすることができ、フック２１０が相対回転して外れてしまうことを信頼性高く防止して取り扱い易くすることができる。ここで、この絶縁操作棒２００でも、中間部分に傘カバー２０５、２０６が取り付けられているとともに、全体をプラスチックなどの絶縁材料で作製されることにより絶縁性が確保されており、先端側の傘カバー２０５がフック２１０側からの水分を滴下させるとともに、基端側の傘カバー２０６が安全に作業を行い得る限界位置を示して、作業する際の安全を確保している。
【００４５】
したがって、配電線Ｄの引下線ｄとの接続箇所の絶縁性を確保するコネクタカバー１０を完全に取り外すことなく、カバー本体部１１の一部の第２本体部２５側のみを開閉して引下線ｄの交換作業をすることができ、ヤットコ１００や共用操作棒２００を持ち替えるだけで１人の作業員で完了することができる。このとき、コネクタカバー１０は、配電線Ｄ側に保持されている状態のままであることから、コネクタＣなどの導電部分（充電部分）を完全に露出させることなく、充電部分に触れてしまう可能性を低減することができ、また、一旦回収することにより邪魔になってしまうことがない。
【００４６】
このように本実施形態においては、スリット２１により分割した第１本体部２２側の引出口１２で配電線Ｄに取り付けた状態を維持しつつ（落下しないように掴んでおく必要なく）、フック２１０を先端に取り付けた共用操作棒２００だけで１人の作業員が第２本体部２５側を開閉して配電線Ｄと引下線ｄの接続箇所のコネクタＣを含む全体を露出させることができる。引下線ｄの交換作業後には、ヤットコ１００に持ち替えて第２本体部２５を閉じた状態にするだけで蛇腹状の樹脂製シート２６を折り畳んでスリット２１を介して自由に連通してしまうことを制限することができ、配電線Ｄと引下線ｄの接続箇所の全体を高品質な閉塞空間内に収容する状態に容易に復旧させることができる。したがって、コネクタカバー１０を取り付けたまま引下線ｄの交換作業を快適かつ迅速に完了することができる。
【００４７】
ここで、上述実施形態の第１の他の態様としては、樹脂製シート２６に代えて、図８に示すように、カバー本体部１１の第１本体部２２の端辺２２ａ側の断面Ｌ字部２３の対面部２３ｂにパッキン（連通制限部材）３１を取り付けて、第２本体部２５の端辺２５ａの接近時にスリット２１を閉止するようにしてもよい。この場合には、開閉する第２本体部２５に連設されている部材はないので作業空間を広く取ることができる。また、カバー本体部１１は断面形状が湾曲して断面Ｌ字部２３の対面部２３ｂも湾曲していることから（図２（ａ）を参照）、直線状のパッキン３１を接着することなく容易に脱落不能に取り付けることができる。なお、コネクタカバー１０が内部空間を閉塞状態にする必要がない場合には、樹脂製シート２６やパッキン３１を省略した構造にしてもよいことは言うまでもない。
【００４８】
また、第２の他の態様としては、図９に示すように、配電線Ｄを跨ぐように引っ掛けることができる補助部材（維持部材）３５を準備してもよい。この場合には、図７に示すように広げた状態にした第２本体部２５と配電線Ｄとの間に介在させるようにその補助部材３５を作業中に位置させることができ、第２本体部２５が自重により閉じる方向に回動してしまうことを制限して作業空間の開放状態を維持することができる。また、図示することは省略するが、図７に示すように広げた状態にした第２本体部２５の背面側同士が係合して一時的にその姿勢を維持することができるようにしてもよい。
【００４９】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【産業上の利用可能性】
【００５０】
これまで本発明の一実施形態について説明したが、本発明は上述の実施形態に限定されず、その技術的思想の範囲内において種々異なる形態にて実施されてよいことは言うまでもない。
【符号の説明】
【００５１】
１０    コネクタカバー
１１    カバー本体部
１１ａ  割面
１２、１３      引出口
１４    ヒンジ部
１５    延長片
１６    把持部
１７    係合対面部
１８    突起部
１９    差込部
２１    スリット
２２    第１本体部
２２ａ、２５ａ  端辺
２３ｂ  対面部
２３ｃ  ロック穴
２５    第２本体部
２６    樹脂製シート
２７    ロック爪
３１    パッキン
３５    補助部材
Ｃ      コネクタ
ｄ      引下線
Ｄ      配電線
【図１】
2012253872.tif 000003
【図２】
2012253872.tif 000004
【図３】
2012253872.tif 000005
【図４】
2012253872.tif 000006
【図５】
2012253872.tif 000007
【図６】
2012253872.tif 000008
【図７】
2012253872.tif 000009
【図８】
2012253872.tif 000010
【図９】
2012253872.tif 000011
【図１０】
2012253872.tif 000012